(57)【要約】【課題】異物の成形型２０内への侵入を抑止する。【解決手段】電池の角形電解槽を成形する際の成形型２０を固定型２２と可動型２４とから構成し、固定型２２の上面２２ｂの可動型２４側の短辺Ｓ２２に沿う凸部２２ｃを設け、可動型２４の上面２４ｂに固定型２２側の短辺に沿う凸部２４ｃを設ける。こうすれば、固定型２２と可動型２４とを合わせる動作や周囲の空気の流れなどにより上面２２ｂ，２４ｂに付着した異物Ｃ１，Ｃ２が移動したとしても、凸部２２ｃ，２４ｃによりその移動が規制される。これにより、異物の成形型２０内への侵入を抑止することができる。【選択図】図３
2017121780.tif 000002
【特許請求の範囲】
【請求項１】
樹脂により形成された電解槽を備える電池の前記電解槽を成形するための成形型であって、
互いに合わせられた状態で内部に前記電解槽の形状の空間を有するよう形成された２つの分割型、
を備える成形型において、
前記２つの分割型のうちの少なくとも一方の分割型における成形時に上面となる端面に、前記端面の他方の分割型側の端辺と並行に延びる凸部または凹部が設けられている
成形型。
【発明の詳細な説明】
【技術分野】
【０００１】
本発明は、成形型に関し、詳しくは、角型形状で樹脂により形成された電解槽を備える電池の電解槽を成形するための成形型に関する。
【背景技術】
【０００２】
従来、電池として、角型形状で樹脂により形成された角形電解槽を備えるものが提案されている（例えば、特許文献１参照）。角形電解槽は、直方体状の複数の単電池が連接されて構成された単電池連接体を内部の収容空間に収容する。
【先行技術文献】
【特許文献】
【０００３】
【特許文献１】特開２００３−１２３７３０号公報
【発明の概要】
【発明が解決しようとする課題】
【０００４】
一般に、上述のような電池の電解槽を成形するための成形型は、複数の型により構成されている。複数の型は、互いに合わさったときに内部に電解槽を成形可能な空間を有するように形成されている。そして、この空間に溶融した樹脂を流し込むことにより、電解槽が成形される。こうした成形型では、左右に配置した２つの型を合わせる際に、合わせる際の動作や周囲の空気の流れによって、型の上面に付着した異物が移動し、２つの型の合わせる面側に落下して、異物が成形型の内部の空間に侵入することがある。こうした異物が侵入した状態で、空間内に溶融した樹脂を流し込んで電解槽を形成すると、電解液に異物が混入して電池の品質が低下する可能性がある。
【０００５】
本発明は、成形型内への異物の侵入を抑止することを主目的とする。
【課題を解決するための手段】
【０００６】
本発明の成形型は、上述の主目的を達成するために以下の手段を採った。
【０００７】
本発明の成形型は、
樹脂により形成された電解槽を備える電池の前記電解槽を成形するための成形型であって、
互いに合わせられた状態で内部に前記電解槽の形状の空間を有するよう形成された２つの分割型、
を備える成形型において、
前記２つの分割型のうちの少なくとも一方の分割型における成形時に上面となる端面に、前記端面の他方の分割型側の端辺と並行に延びる凸部または凹部が設けられている
ことを要旨とする。
【０００８】
この本発明の成形型は、互いに合わせられた状態で内部に電解槽の形状の空間を有するよう形成された２つの分割型、を備えている。２つの分割型の少なくとも一方の分割型における成形時に上面となる端面には、端面の他方の分割型側の端辺と並行に延びる凸部または凹部が設けられている。２つの分割型を合わせるときには、端面に設けられた凸部または凹部により、分割型の端面に付着した異物の移動が規制される。これにより、成形型内への異物の侵入を抑止することができる。なお、「分割型」は、一体の１つの型として形成されるものでもよいし、複数の型を組み合わせて形成されるものとしてもよい。
【０００９】
こうした本発明の成形型において、前記凸部または前記凹部は、前記端面の前記他方の分割型側の端辺に沿って設けられていてもよい。
【００１０】
また、本発明の成形型において、前記２つの分割型の少なくとも一方の分割型における前記端面に、前記凸部が設けられており、前記凸部の前記他方の分割型と反対側に前記端面に摺動可能な摺動部材を設けてもよい。こうすれば、２つの分割型を合わせる際に摺動部材が端面を修道することにより、端面を清掃することができる。これにより、端面の凸部近傍の異物の量が少なくなるから、成形型内への異物の侵入をより抑制することができる。
【図面の簡単な説明】
【００１１】
【図１】本発明の一実施例としての成形型２０の構成の概略を示す分解斜視図である。
【図２】図１におけるＡＡ線での断面の概略を示す概略図である。
【図３】成形型２０の上面２２ｂ，２４ｂに異物Ｃ１，Ｃ２が付着している様子の一例を示す説明図である。
【図４】変形例の成形型１２０の構成の概略を示す構成図である。
【図５】固定型１２２と可動型１２４とを合わせたときの様子を示す説明図である。
【図６】変形例の成形型２２０の構成の概略を示す構成図である。
【図７】変形例の成形型３２０の構成の概略を示す構成図である。
【発明を実施するための形態】
【００１２】
次に、本発明を実施するための形態を実施例を用いて説明する。
【実施例】
【００１３】
図１は、本発明の一実施例としての成形型２０の構成の概略を示す分解斜視図である。図２は、図１におけるＡＡ線での断面の概略を示す概略図である。成形型２０は、角型形状で樹脂により形成された電解槽を備える電池（例えば、ニッケル・水素二次電池など）の電解槽を成形するための金型として構成されており、固定型２２と、可動型２４と、を備えている。
【００１４】
固定型２２は、内部に、可動型２４と合わたときに電解槽の形状となる空間を形成する空間２２ａを備えている。固定型２２には、図１における上面２２ｂの可動型２４側の端辺Ｓ２２に沿って延びる凸部２２ｃが設けられている。なお、固定型２２には、図示はしないが、空間２２ａに連通する連通孔が設けられている。また、固定型２２は、一体の１つの型として形成されるものでもよいし、複数の型を組み合わせて形成されるものとしてもよい。
【００１５】
可動型２４は、水平方向（図１における左右方向）に移動可能に構成されている。可動型２４は、内部に、固定型２２と合わたときに電解槽の形状となる空間２４ａを備えている。すなわち、固定型２２と可動型２４を合わせたときに空間２２ａ，２４ａにより形成される空間は、電解槽の形状となる。可動型２４には、図１における上面２４ｂの固定型２２側の端辺（図示せず）に沿って延びる凸部２４ｃが設けられている。なお、可動型２４は、一体の１つの型として形成されるものでもよいし、複数の型を組み合わせて形成されるものとしてもよい。
【００１６】
こうして構成された成形型２０では、可動型２４を固定型２２に向けて水平方向に移動させ、固定型２２と可動型２４とを合わせる。そして、固定型２２と可動型２４とを合わせた状態で空間２２ａに連通する連通孔から溶融した樹脂を空間２２ａ，２４ａにより形成される空間に導入することにより、電解槽が成形される。
【００１７】
図３は、成形型２０の上面２２ｂ，２４ｂに異物Ｃ１，Ｃ２が付着している様子の一例を示す説明図である。上面２２ｂ，２４ｂに異物Ｃ１，Ｃ２が付着すると、固定型２２と可動型２４とが合わさる動作や周囲の空気の流れにより、異物Ｃ１，Ｃ２が固定型２２と可動型２４との合わせ面側に移動する場合がある。実施例の成形型２０では、上面２２ｂ，２４ｂに凸部２２ｃ，２４ｃを設けることにより、異物Ｃ１，Ｃ２の移動を凸部２２ｃ，２４ｃにより規制することができる。これにより、異物Ｃ１，Ｃ２の成形型２０内への侵入を抑止することができる。
【００１８】
以上説明した実施例の成形型２０によれば、固定型２２の上面２２ｂに凸部２２ｃを設けると共に、可動型２４の上面２４ｂに凸部２４ｃを設けることにより、異物の成形型２０内への侵入を抑止することができる。
【００１９】
実施例の成形型２０では、固定型２２，可動型２４の上面２２ｂ，２４ｂに凸部２２ｃ，２４ｃを設けるものとしたが、固定型２２の上面２２ｂまたは可動型２４の上面２４ｂのいずれか一方のみに凸部を設けるものとしてもよい。
【００２０】
実施例の成形型２０では、凸部２２ｃを上面２２ｂの可動型２４側の端辺Ｓ２２に沿って延びるように設け、凸部２４ｃを上面２４ｂの固定型２２側の端辺（図示せず）に沿って延びるように設けているが、凸部２２ｃ，２４ｃは、可動型２４側，固定型２２側の端辺に平行に延びていればよく、この端辺から離れた位置に設けられていてもよい。
【００２１】
実施例の成形型２０では、固定型２２，可動型２４の上面２２ｂ，２４ｂに凸部２２ｃ，２４ｃを設けるものとしているが、図４の変形例の成形型１２０に例示するように、凸部２２ｃの可動型１２４側とは反対側や凸部２４ｃの固定型１２２側とは反対側に、摺動部材１２２ｄ，１２４ｄと、外部に連通する連通孔１２２ｅ，１２４ｅを設けるものとしてもよい。摺動部材１２２ｄ，１２４ｄは、上面２２ｂ，２４ｂに摺動し、固定型２２と可動型２４とを合わせる前の状態で、凸部２２ｃ，２４ｃの近傍に配置されている。摺動部材１２２ｄ，１２４ｄとしては、例えば、布やブラシなどとするのが望ましい。連通孔１２２ｅ，１２４ｅは、上面２２ｂ，２４ｂから図４の下方向に延びたあと、図の手前から奥側に延びて外部に連通するように形成されている。
【００２２】
図５は、固定型１２２と可動型１２４とを合わせたときの様子を示す説明図である。固定型１２２と可動型１２４とを合わせる際には、連通孔１２２ｅ，１２４ｅの空気を、図示しない吸引装置により常時または定期的に図５における下から紙面手前側に抜ける方向（図中矢印の方向）に吸引する。固定型１２２と可動型１２４とを合わせる動作により、摺動部材１２２ｄ，１２４ｄが上面２２ｂ，２４ｂを水平方向（図５における左右方向）に摺動し、上面２２ｂ，２４ｂを清掃する。このとき、連通孔１２２ｅ，１２４ｅ内の空気を図示しない吸引装置で吸引するから、上面２２ｂ，２４ｂの異物が連通孔１２２ｅ，１２４ｅを通り除去される。これにより、上面２２ｂ，２４ｂの凸部２２ｃ，２４ｃの近傍の異物Ｃ１，Ｃ２の量が少なくなるから、成形型１２０内への異物の侵入をより抑制することができる。なお、変形例の成形型１２０において、連通孔１２２ｅ，１２４ｅを設けなくともよい。
【００２３】
実施例の成形型２０では、固定型２２，可動型２４の上面２２ｂ，２４ｂに凸部２２ｃ，２４ｃを設けるものとしたが、図６の変形例の成形型２２０に例示するように、固定型２２２，可動型２２４の上面２２ｂ，２４ｂに、凸部２２ｃ，２４ｃに代えて、凹部２２２ｆ，２２４ｆを設けてもよい。こうすれば、固定型１２２と可動型１２４を合わせる際の動作や周囲の空気の流れにより上面２２ｂ，２４ｂに付着した異物が移動したときでも、異物は凹部２２２ｆ，２２４ｆに落下して捕集される。これにより、異物の成形型２２０内への侵入を抑止することができる。また、図７の変形例の成形型３２０に例示するように、固定型３２２，可動型３２４の上面２２ｂ，２４ｂに凹部３２２ｆ，３２４ｆを設け、凹部３２２ｆ，３２４ｆの底面に外部に連通する連通孔３２２ｅ，３２４ｅを設けるものとしてもよい。連通孔３２２ｅ，３２４ｅは、上面２２ｂ，２４ｂから図７の下方向に延びたあと、図の手前から奥側に延びて外部に連通するように形成されている。固定型３２２と可動型３２４とを合わせる際には、連通孔３２２ｅ，３２４ｅの空気を、図示しない吸引装置により常時または定期的に図７における下から紙面手前側に抜ける方向（図中矢印の方向）に吸引することにより、凹部３２２ｆ，３２４ｆに捕集された異物を外部に除去することができる。こうすれば、異物の成形型３２０内への侵入をさらに抑止することができる。
【００２４】
実施例では、固定型と可動型とから形成される成形型に適用する場合を例示したが、２つの可動型から形成される成形型に適用するものとしてもよい。
【００２５】
実施例の主要な要素と課題を解決するための手段の欄に記載した発明の主要な要素との対応関係について説明する。実施例では、固定型２２，可動型２４が「２つの型」に相当し、凸部２２ｃが「凸部」に相当し、凹部２２２ｆが「凹部」に相当する。
【００２６】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２７】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２８】
本発明は、成形型の製造産業などに利用可能である。
【符号の説明】
【００２９】
２０，１２０，２２０，３２０  成形型，２２，１２２，２２２，３２２  固定型、２２ａ，２４ａ  空間、２２ｂ，２４ｂ  上面、２２ｃ，２４ｃ  凸部、２４，１２４，２２４，３２４  可動型、１２２ｄ，１２４ｄ  摺動部材、１２２ｅ，１２４ｅ，３２２ｅ，３２４ｅ  連通孔、２２２ｆ，２２４ｆ，３２２ｆ，３２４ｆ  凹部、Ｃ１，Ｃ２  異物、Ｓ２２  端辺。
【図１】
2017121780.tif 000003
【図２】
2017121780.tif 000004
【図３】
2017121780.tif 000005
【図４】
2017121780.tif 000006
【図５】
2017121780.tif 000007
【図６】
2017121780.tif 000008
【図７】
2017121780.tif 000009